(57)【要約】【課題】局部洗浄装置内の給水経路や洗浄ノズルなどに目詰まりなどを生じさせず、局部洗浄装置の耐用性能の向上を図り得る局部洗浄装置用の洗浄剤を提供する。【解決手段】水道水からなる洗浄水を供給する給水経路６と人体局部用の洗浄剤を供給する洗浄剤供給経路１２とが合流し、この給水経路６及び洗浄剤供給経路１２の合流部から供給される洗浄水を人体局部に噴射する洗浄ノズル５とを備えて構成した局部洗浄装置に用いられる洗浄剤である。この洗浄剤が水道水中のＣａ２＋及びＭｇ２＋と反応して不溶基塩を生成しない界面活性剤を主成分とする。【選択図】　　　　図１
2004059705.tif 000002
【特許請求の範囲】
【請求項１】
水道水からなる洗浄水を供給する給水経路と人体局部用の洗浄剤を供給する洗浄剤供給経路とが合流し、この給水経路及び洗浄剤供給経路の合流部から供給される洗浄水を人体局部に噴射する洗浄ノズルとを備えて構成した局部洗浄装置に用いられる洗浄剤であって、この洗浄剤が水道水中のＣａ２＋及びＭｇ２＋と反応して不溶基塩を生成しない界面活性剤を主成分とすることを特徴とする局部洗浄装置用洗浄剤。
【請求項２】
前記洗浄剤を、アルキル硫酸エステル塩、ポリオキシエチレンアルキルエーテル硫酸エステル塩、アシルメチルタウリン等のアニオン系界面活性剤、脂肪酸アルキロールアミド、アルキルグルコシド等の非イオン性界面活性剤、カルボベタイン、アミドベタイン、スルホベタイン等の両性イオン性界面活性剤より選択された１種類または２種以上の界面活性剤を組み合わせて構成したことを特徴とする請求項１記載の局部洗浄装置用洗浄剤。
【請求項３】
皮膚刺激性物質を添加してなることを特徴とする請求項１または２記載の局部洗浄装置用洗浄剤。
【請求項４】
前記皮膚刺激性物質をメントールで構成したことを特徴とする請求項３記載の局部洗浄装置用洗浄剤。
【請求項５】
前記洗浄剤が、保湿剤、増粘剤、安定剤、芳香剤から選択される１種類あるいは２種以上の組み合わせによる添加剤を含有し、添加剤と洗浄剤により形成される塩が水溶性であることを特徴とする請求項１乃至４のいずれかに記載の局部洗浄装置用洗浄剤。
【発明の詳細な説明】
【０００１】
【発明の属する技術分野】
本発明は、局部洗浄装置用洗浄剤に関し、詳しくは、界面活性剤を主成分とする洗浄剤と水道水とを混合させた混合水を洗浄ノズルから人体局部に噴射するといった局部洗浄装置用の洗浄剤に関する発明である。
【０００２】
【従来の技術】
従来から、局部洗浄装置は、図８に示すように、局部洗浄を行う局部洗浄機構を有する局部洗浄装置本体１と、使用者が洗浄方法等を選択操作するための操作部２と、操作部２からの信号に応じて便座温度、洗浄水温度、洗浄水流量を制御するための制御部（図示せず）と、使用者が座る便座３とで構成されている。
【０００３】
局部洗浄装置本体１の局部洗浄機構は、図９に示すように、水道等の水源の供給部位である給水口４と局部を洗浄するために洗浄水を噴射する洗浄ノズル５とを繋ぐ給水経路６を有し、この給水経路６に、給水口４からの水道水を貯えて内蔵ヒータによって加熱して温水にする温水タンク８、温水タンク８内の水道水を洗浄ノズル５に搬送する水ポンプ９、給水経路６の水道水に洗浄剤が供給される洗浄剤注入口１０、を順に設けて構成されている。ここで、洗浄剤注入口１０は洗浄剤供給部の一部を構成するものであり、この洗浄剤供給部は、洗浄剤を保持するための洗浄剤保持部１１と、給水経路６中に洗浄剤を混合する洗浄剤注入口１０と、洗浄剤保持部１１と洗浄剤注入口１０とを接続する洗浄剤供給経路１２と、洗浄剤供給経路１２中に配置され洗浄剤を搬送するための洗浄剤供給手段１３とで構成されている。さらに、洗浄剤供給経路１２中には、洗浄水が洗浄剤保持部１１に入ることを防ぐための逆流防止弁１４を備えている。
【０００４】
このような構成を有した局部洗浄装置では、使用者の操作部２の操作によって、下記の種類の局部洗浄を行えるようにされている。たとえば使用者が温水洗浄モードを選択した場合には、洗浄剤供給手段１３は作動せず、温水タンク８に貯えられた水道水がそのまま洗浄ノズル５から人体局部に噴射されるようになっている。また、洗浄液洗浄モードを選択した場合には、図１０に示すように、洗浄剤供給手段１３が作動し、洗浄剤が水道水に混合されて洗浄ノズル５から人体局部に噴射されるようになっている。なお、図１０中Ｗは水道水を示し、Ｓは洗浄剤を示し、Ｗ＋Ｓは水道水と洗浄剤とが混合した洗浄液を示している。このように、局部洗浄をより衛生的に行うため、水道水での局部洗浄のみならず、洗浄剤を混合させた洗浄液での局部洗浄が行い得るような局部洗浄装置が提供されているのである。
【０００５】
【発明が解決しようとする課題】
ところで、人体用の洗浄剤としては通常、脂肪酸塩（石鹸）が多く利用されており、局部洗浄を行う局部洗浄装置用の洗浄剤にあっても脂肪酸塩を用いることが通常行われている。しかしながら、局部洗浄装置内の給水経路６や洗浄ノズル５では水道水に混合したはずの洗浄剤の固着がしばしば生じて目詰まりを起こし、これがために局部洗浄装置の耐用性能の低下が指摘されるものであった。しかして、局部洗浄装置内の給水経路や洗浄ノズルなどに目詰まりなどを生じさせず、局部洗浄装置の耐用性能の向上を図り得る局部洗浄装置用の洗浄剤の開発が切望されるものであった。
【０００６】
【課題を解決するための手段】
かかる実状において本発明者らは、人体の中でも特に敏感な部位である局部洗浄に適合し、且つ、局部洗浄装置内の給水経路や洗浄ノズルなどに目詰まりなどを生じさせない局部洗浄装置用の洗浄剤につき、鋭意検討した結果、洗浄水として用いている水道水中の成分と洗浄剤の成分とのある反応に注目するに至った。
【０００７】
つまり、水道水中には硬水の硬度成分であるＣａ２＋やＭｇ２＋が多少なりとも含有されており、この硬度成分（Ｃａ２＋やＭｇ２＋）に一般的な洗浄剤の界面活性剤を構成する脂肪酸アルカリ塩が反応し、不溶基塩であるたとえばカルシウム石鹸（石鹸かす）が析出されてしまうといったものである（［化１］参照）。
【０００８】
【化１】
2004059705.tif 000003
（式中、２ＲＣＯＯＮａは脂肪酸アルカリ塩であり、（ＲＣＯＯ）２Ｃａは石鹸である）
【０００９】
このように本発明者は、局部洗浄装置内の給水経路や洗浄ノズルなどに目詰まりなどを生じさせる原因となる上記反応を見出し、本発明を完成した。
【００１０】
すなわち、本発明に係る局部洗浄装置用洗浄剤は、水道水からなる洗浄水を供給する給水経路６と人体局部用の洗浄剤を供給する洗浄剤供給経路１２とが合流し、この給水経路６及び洗浄剤供給経路１２の合流部から供給される洗浄水を人体局部に噴射する洗浄ノズル５とを備えて構成した局部洗浄装置に用いられる洗浄剤であって、この洗浄剤が水道水中のＣａ２＋及びＭｇ２＋と反応して不溶基塩を生成しない界面活性剤を主成分とすることを特徴とする。これによると、洗浄剤が水道水と混合した際にも不溶基塩を生成せず、したがって、局部洗浄装置の給水経路６や洗浄ノズル５に目詰まりなどを生じさせず、局部洗浄装置の長寿命化を図ることができる。
【００１１】
また、前記洗浄剤を、アルキル硫酸エステル塩、ポリオキシエチレンアルキルエーテル硫酸エステル塩、アシルメチルタウリン等のアニオン系界面活性剤、脂肪酸アルキロールアミド、アルキルグルコシド等の非イオン性界面活性剤、カルボベタイン、アミドベタイン、スルホベタイン等の両性イオン性界面活性剤より選択された１種類または２種以上の界面活性剤を組み合せて構成したことも好ましい。これによると、アニオン系界面活性剤、非イオン性界面活性剤、両性イオン性界面活性剤のいずれの界面活性剤にも、水道水の中のＣａ２＋及びＭｇ２＋と反応して、目詰まりの原因となる不溶基塩を生成させる脂肪酸アルカリ塩の石鹸構造（ＲＣＯＯ−）を含有するものでないから、水道水中のＣａ２＋及びＭｇ２＋と反応して不溶基塩を生成するようなことはなく、したがって局部洗浄装置に目詰まりなどを生じさせず、局部洗浄装置の長寿命化を図ることができる。
【００１２】
また、皮膚刺激性物質を添加したことも好ましい。これによると、皮膚刺激性物質による清涼感や爽快感を使用者に感じさせることができ、使用者に洗浄液で洗浄している使用実感を与えることができる。
【００１３】
また、皮膚刺激性物質をメントールで構成したことも好ましい。メントールは１％以下の希薄な水溶液が皮膚に接触することによって清涼感、爽快感が得られる物質であることから、メントールを洗浄剤に少量含有させるだけで、肌に適度な刺激を与えられる皮膚刺激性物質を構成することができ、皮膚刺激性物質の添加による洗浄剤の成分への影響をほとんど無くすることができる。
【００１４】
また、洗浄剤が、保湿剤、増粘剤、安定剤、芳香剤から選択される１種類あるいは２種以上の組み合わせによる添加剤を含有し、添加剤と洗浄剤により形成される塩が水溶性であることも好ましい。これによると、添加剤を洗浄剤に含有させても洗浄剤の水道水への希釈を容易に行わせることができる。
【００１５】
【発明の実施の形態】
以下、本発明を添付図面に示す実施形態に基づいて説明する。局部洗浄装置としての基本的な構成は前記従来例とほぼ同じで、局部洗浄機構を揺する局部洗浄装置本体１と、使用者が洗浄方法を選択操作する操作部２と、操作部２からの信号に応じて便座温度、洗浄水温度、洗浄水流量を制御するための制御部（図示せず）と、使用者が座るための便座３などから構成されている（図８参照）。
【００１６】
局部洗浄装置本体１の局部洗浄機構は、図１に示すように、水道等の水源の供給部位である給水口４と人体局部等を洗浄するために洗浄水を噴射する洗浄ノズル５とを繋ぐ給水経路６を有し、この給水経路６に、給水口４からの水道水の給水・停止を行う給水弁７、水道水を貯えて内蔵ヒータにより加熱し温水にする温水タンク８、温水タンク８内の水道水を洗浄ノズル５に搬送する水ポンプ９、給水経路６の水道水に洗浄剤が供給される洗浄剤注入口１０、を順に設けて構成されている。ここで、洗浄剤注入口１０は洗浄剤供給部の給水経路６への合流部を構成する。この洗浄剤供給部は、洗浄剤を保持するための洗浄剤保持部１１と、給水経路６中の水道水に洗浄剤を混合する洗浄剤注入口１０と、洗浄剤保持部１１と洗浄剤注入口１０とを接続する洗浄剤供給経路１２と、洗浄剤供給経路１２中に配置され洗浄剤を搬送するための洗浄剤供給手段１３とで構成されている。なお、洗浄剤供給経路１２の洗浄剤保持部１１の出口部分には、洗浄水が洗浄剤保持部１１に入ることを防ぐための逆流防止弁１４を備えている。また、本例では、給水経路６の水ポンプ９と洗浄剤注入口１０との間の部位と、洗浄剤供給経路１２の逆流防止弁１４と洗浄剤供給手段１３との間の部位とを繋ぐすすぎ経路１５が設けられている。このすすぎ経路１５にはすすぎ経路１５の開閉を行うすすぎ弁１６が設けられている。以下、各部位につき詳述する。
【００１７】
洗浄ノズル５は、図２に示すように、お尻洗浄ノズル５ａ、ビデ洗浄ノズル５ｂ、お尻洗浄ノズル５ａ及びビデ洗浄ノズル５ｂを洗浄するノズル洗浄ノズル５ｃ、便器内面を洗浄する便器洗浄ノズル５ｄ、及びこれら各種のノズルへの流路を切り換える流路切替機構１７とで構成される。なお、流路切替機構１７としては、たとえば、ステッピングモータで駆動するロータリー切替弁等が用いられる。
【００１８】
お尻洗浄ノズル５ａは、図３，図４に示すように、筒状のシリンダ１８と、シリンダ１８内で前後に摺動するピストン１９と、シリンダ１８の前方に突出したピストン１９の先端部位に設けた流体素子２０とで構成されている。シリンダ１８には流路切替機構１７を介して給水経路６と連通するシリンダ内流路１８ａが形成されており、ピストン１９にはシリンダ内流路１８ａから流体素子２０に連通するピストン内流路１９ａが形成されている。本例では、シリンダ１８とピストン１９との間にはバネ２１が介在されており、ピストン１９は、図４（ａ）に示すように、水圧で押出されることによってバネ２１の付勢に抗して前方に移動し、図４（ｂ）に示すように、水圧が下がるとバネ２１の付勢によって後方に移動するようになっている。なお、ピストン１９の前後動は、上述した洗浄水の水圧利用に代えて、モータ等のアクチュエータを使用するようにしてもよい。
【００１９】
上記流体素子２０は、図５に示すように、洗浄水を人体局部に向けて噴出する噴出口２２を有し、ピストン内流路１９ａから噴出口２２に至る間に２つのサーキット水路２３及び噴出水路２４の計３つの水路を設けて構成されている。詳述すると、サーキット水路２３は円環状の水路であり、２つのサーキット水路２３はその内側部分で合流して略∞字状になるように並設され、このサーキット水路２３の合流部位Ｐにピストン内流路１９ａが接続されている。また、噴出水路２４はサーキット水路２３の合流部位Ｐから噴出口２２に至る直線状の水路である。しかして、この流体素子２０では、ピストン内流路１９ａから流入した洗浄水はサーキット水路２３を周回してサーキット水路２３の合流部位Ｐで衝突し、洗浄水に混合されている空気が細かい気泡になって洗浄水内に分散され、この状態の洗浄水が噴出水路２４を介して噴出口２２に至り、人体局部に向けて噴出されるようになっている。
【００２０】
ノズル洗浄ノズル５ｃは、図６に示すように、お尻洗浄ノズル５ａ及びビデ洗浄ノズル５ｂに洗浄水を直接噴出するものであり、お尻洗浄ノズル５ａ及びビデ洗浄ノズル５ｂに付着した汚れを噴出圧で洗い落とすようにされたものである。また、便器洗浄ノズル５ｄは、図７に示すように、扇状に洗浄水を噴射して便器内面の広範囲に洗浄水を当てるようにされたものである。なお、図６，７中の矢印は洗浄水の噴出方向を示している。
【００２１】
水ポンプ９は、制御部から入力された制御信号に応じて洗浄水流量を変更して一定に保つものである。なお、この水ポンプ９の機能である洗浄水流量を変更する手段としては、水ポンプ９のポンプ出力を制御する代わりに、モータ等を用いて制御してもよい。この場合、たとえば、制御部からの信号に応じて、モータ等によって流路の流路面積を変化させることで、洗浄水流量を変化させることができる。
【００２２】
なお、上記水ポンプ９は省略されてもよい。この場合、電磁弁等で構成される給水弁７を開弁することで、水道の給水圧によって洗浄水を直接給水経路６に送り込むことができる。また、この場合、温水タンク８の代わりに熱交換器を設けてもよい。この場合、熱交換器としては、たとえばセラミックまたはシーズ型のヒータを用いることが好ましい。これによっても、加熱して温水にした水道水を給水経路６に流すことができる。
【００２３】
洗浄剤供給経路１２は、たとえば、ゴムホース等で構成されている。また、洗浄剤保持部１１は、たとえば、透明あるいは半透明の樹脂にて形成されている。これにより、使用者は洗浄剤の残量を目視にて確認することができる。なお、洗浄剤の残量が少なくなった場合には、使用者が洗浄剤保持部１１を取り外し、洗浄剤を補充して再び装着する。また、洗浄剤供給手段１３には、たとえば、ギアポンプやダイヤフラム式ポンプが用いられる。また、逆流防止弁１４には、たとえば、直動式やダイヤフラム式の電磁弁やダックビルバルブ等が用いられる。この逆流防止弁１４は、局部洗浄装置本体１から着脱可能に設けられている。したがって、万が一、逆流防止弁１４で洗浄剤の固着が生じた場合にも、局部洗浄装置本体１から逆流防止弁１４を取り外して逆流防止弁１４の洗浄ができるようにされている。また、すすぎ弁１６には、たとえば、ノーマルクローズの電磁弁が用いられる。この場合、操作部２での選択操作によってすすぎモードを実行する際にのみ、電磁弁に通電するようになり、電磁弁に備えたコイルの発熱等を防ぐことができるのである。
【００２４】
ここで、洗浄方法を選択操作する操作部２では、加熱して温水となった水道水を直接洗浄ノズル５から噴射させる温水洗浄モード、加熱して温水となった水道水に洗浄剤を混合させて洗浄ノズル５から噴射させる洗浄液洗浄モード、給水経路６や洗浄剤供給経路１２を水道水ですすいで洗浄するすすぎモードを操作選択できるようにされている。
【００２５】
温水洗浄モードでは、洗浄剤供給手段１３は作動せず、温水タンク８に貯えられた水道水がそのまま洗浄ノズル５から人体局部に噴射されるようになっている。また、洗浄液洗浄モードを選択した場合には、洗浄剤供給手段１３が作動し、洗浄剤が水道水に混合されて洗浄液になり、洗浄ノズル５から人体局部に噴射されるようになっている。また、すすぎモードでは、すすぎ弁１６が開くと共に、水ポンプ９及び洗浄剤供給手段１３が作動し、水道水がすすぎ経路１５、洗浄剤供給経路１２、給水経路６に流れてすすぎ洗浄を行えるようになっている。このとき、洗浄剤供給手段１３にあっては、水よりも粘度の高い洗浄剤を吸引せずに、すすぎ経路１５からの水道水を吸引するのであり、このため、すすぎモードでは洗浄剤供給手段１３や洗浄剤供給経路１２内に残留していた洗浄剤を洗い流すことができる。本例では、すすぎモードの洗浄後のすすぎ水はノズル洗浄ノズル５ｃから便器内に排出されるようになっている。なお、すすぎモード後には洗浄剤供給経路１２が水道水で満たされることになるが、このとき水道水の洗浄剤保持部１１への流れ込みは逆流防止弁１４によって防止されている。
【００２６】
なお、上記操作部２では、温水洗浄モード、洗浄液洗浄モード、すすぎモードを個別操作する例を示したが、たとえば各種モードを一連動作にするプログラム制御を行うことも好ましい。たとえば、はじめに洗浄液洗浄モードにて洗浄液で人体局部等に付着した汚れを洗い落とし、つぎに温水洗浄モードにて水道水で人体局部等に付着した洗浄液を洗い落とし、最後にすすぎモードにて洗浄剤供給経路１２等の残留洗浄液を洗い落とすといったことを一連の動作として行うと、使用者の局部等の汚れやこの汚れを洗い落とした洗浄液を人体局部から除去できるのは勿論、次回使用時まで局部洗浄装置を清潔に且つ洗浄液の固着防止を施して保つことができるのである。
【００２７】
さて、上述したように、洗浄液洗浄モードでは人体局部等を洗浄する洗浄水に洗浄液を用いているが、この洗浄液は、給水経路６を通る水道水に洗浄剤注入口１０から洗浄剤を混合させることで生成される（図９参照）。この洗浄剤としては、人体局部に付着した汚物を洗浄するために界面活性剤を主成分とする液状剤を用いている。洗浄剤を構成する薬剤としては、主成分となる基剤の界面活性剤の他、保湿剤、増粘剤、安定剤、芳香剤等の添加物より構成されている。
【００２８】
ここで、この洗浄剤を混合させる水道水中には硬水の硬度成分であるＣａ２＋やＭｇ２＋が多少なりとも含有されている。従来技術の項でも述べたが、人体洗浄用の界面活性剤としては一般的に脂肪酸塩（石鹸）が多く利用されているが、この脂肪酸塩は水道水中の硬度成分（Ｃａ２＋やＭｇ２＋）に反応し、不溶基塩であるたとえばカルシウム石鹸（石鹸かす）を析出させてしまうといった問題があるので（［化１］参照）、本例では、洗浄剤中の界面活性剤には、水道水中のＣａ２＋及びＭｇ２＋と反応して不溶基塩を生成しない界面活性剤を用いている。
【００２９】
具体的に、この洗浄剤中の界面活性剤としては、アルキル硫酸エステル塩（［化２］参照）、ポリオキシエチレンアルキルエーテル硫酸エステル塩（［化３］参照）、アシルメチルタウリン（［化４］参照）等のアニオン系界面活性剤、脂肪酸アルキロールアミド（［化５］記載中（Ａ）または（Ｂ）参照）、アルキルグルコシド（［化６］参照）等の非イオン性界面活性剤、カルボベタイン（［化７］参照）、アミドベタイン（［化８］参照）、スルホベタイン（［化９］参照）等の両性イオン性界面活性剤より選択された１種類または２種以上の界面活性剤を組み合わせて用いているのである。
【００３０】
下記には、上記列挙した各種の界面活性剤の化学式を示す。
【００３１】
【化２】
2004059705.tif 000004
（式中、Ｍはナトリウム、アンモニウム、トリエタノールアミンのいずれかを示し、Ｒは炭素数１０〜１８のアルキル基を示す。）
【００３２】
【化３】
2004059705.tif 000005
（式中、Ｍはナトリウム、アンモニウム、トリエタノールアミンのいずれかを示し、Ｒは炭素数１０〜１８のアルキル基を示し、ｎは１〜１０となる数を示す。）
【００３３】
【化４】
2004059705.tif 000006
（式中、Ｍはナトリウム等のアルカリ金属イオンを示し、Ｒは炭素数１〜５のアルキル基を示す。）
【００３４】
【化５】
2004059705.tif 000007
（Ａ，Ｂの式中、Ｒはいずれも炭素数１〜２０のアルキル基を示す。）
【００３５】
【化６】
2004059705.tif 000008
（式中、Ｒは炭素数８〜１６のアルキル基を示し、ｎは１〜２となる数を示す。）
【００３６】
【化７】
2004059705.tif 000009
（式中、Ｒは炭素数１０〜２０のアルキル基を示す。）
【００３７】
【化８】
2004059705.tif 000010
（式中、Ｒは炭素数１０〜２０のアルキル基を示す。）
【００３８】
【化９】
2004059705.tif 000011
（式中、Ｒは炭素数１２〜１８のアルキル基を示す。）
【００３９】
以上に示した界面活性剤は特に限定するものではないが、その化学組成に石鹸構造（ＲＣＯＯ−）を含まないので、この界面活性剤が水道水と混合したときに、不溶基塩のカルシウム石鹸（石鹸かす）等を生成して、給水経路６に蓄積して目詰まりを引き起こすといったことは回避されるのである。しかして、局部洗浄装置の長寿命化を図ることができるのである。
【００４０】
なお、洗浄剤に含有される保湿剤、増粘剤、安定剤、芳香剤等の添加物は、洗浄剤中で塩を形成するものであるが、この添加物が洗浄剤中で形成する塩は水溶性のものになるようにしてある。これにより、水道水中に洗浄剤を混合させたときの希釈を容易に行い得るようにされている。
【００４１】
更に言えば、この洗浄剤には、メントールで構成される皮膚刺激性物質を添加してある。このメントールは、１％以下の希薄な水溶液が皮膚に接触することによって清涼感、爽快感が得られる物質である。しかして、少量のメントールを洗浄剤に含有させるだけで、肌に適度な刺激を与えられる皮膚刺激性物質を構成することができる。そして、この洗浄液で局部を洗浄したときには、使用者は洗浄液で局部を洗浄した使用実感を得ることができることから、使用者の局部洗浄装置の使用満足度の向上を図ることができるのである。
【００４２】
次に本発明の局部洗浄装置用洗浄剤の実施例について詳しく説明する。
【００４３】
【実施例】
［実施例１］
第１の実施例は下記の組成を持つ。数字は全て重量％である。
【００４４】
ポリオキシエチレンアルキルエーテル硫酸エステルナトリウム　　１５％
ラウリルアミドプロピル酢酸ベタイン　　　　　　　　　　　　　３％
アルキルポリグルコシド　　　　　　　　　　　　　　　　　　　３％
脂肪酸アルカノールアミド　　　　　　　　　　　　　　　　　　３％
メントール　　　　　　　　　　　　　　　　　　　　　　　　　１％
ジプロピレングリコール　　　　　　　　　　　　　　　　　　　１％
グリセリン　　　　　　　　　　　　　　　　　　　　　　　　　１％
エチドロン酸　　　　　　　　　　　　　　　　　　　　　　　　適量
香料　　　　　　　　　　　　　　　　　　　　　　　　　　　　適量
クエン酸　　　　　　　　　　　　　　　　　　　　　　　　　　適量
水道水　　　　　　　　　　　　　　　　　　　　　　　　　　　６５％
【００４５】
ここで、ポリオキシエチレンアルキルエーテル硫酸エステルナトリウムは、基剤となる陰イオン性界面活性剤である。
【００４６】
なお、このポリオキシエチレンアルキルエーテル硫酸エステルナトリウムは、上述したポリオキシエチレンアルキルエーテル硫酸エステル塩（［化３］参照）に該当するものであって、［化３］の化学式中のＭをナトリウムとし、Ｒを炭素数１２の直鎖アルキル基とし、ｎを３の数としたものである。
【００４７】
また、両性イオン性界面活性剤であるラウリルアミドプロピル酢酸ベタイン、非イオン性界面活性であるアルキルポリグルコシド及び脂肪酸アルカノールアミドは、上記基剤の界面活性剤の増粘剤として用いられたものである。
【００４８】
なお、このラウリルアミドプロピル酢酸ベタインは、上述したアミドベタイン（［化８］参照）に該当するものであって、［化８］の化学式中のＲを炭素数１１の直鎖アルキル基としたものである。また、アルキルポリグルコシドは、上述したアルキルグルコシド（［化６］参照）に該当するものであって、［化６］の化学式中のＲを炭素数８〜１６のうちいずれかの直鎖アルキル基とし、ｎを１または２のいずれかの数としたものである。また、脂肪酸アルカノールアミドは、上述した脂肪酸アルキロールアミド（［化５］（Ａ）参照）に該当するものであって、［化５］の化学式（Ａ）中のＲを炭素数１〜２０のうちのいずれかの直鎖アルキル基としたものである。
【００４９】
また、メントールは皮膚刺激物質であって、１％以下の希薄な水溶液が皮膚に接触することで清涼感、爽快感が得られることから、使用者に洗浄液で洗浄した使用実感を与えて、使用者の局部洗浄装置の満足度向上を図っているものである。また、グリセリンは保湿剤である。また、ジプロピレングリコールは溶剤、エチドロン酸は金属イオン封鎖剤、クエン酸はｐＨ調整剤であり、いわゆる安定剤である。また香料は芳香剤である。これらは必要に応じて適量添加するものである。
【００５０】
［実施例２］
第２の実施例は下記の組成を持つ。数字は全て重量％である。
【００５１】
ラウリルポリオキシエチレン硫酸エステルトリエタノールアミン塩　３％
ラウリルポリオキシエチレン硫酸エステルナトリウム塩　　　　　　６％
ラウリル硫酸エステルナトリウム塩　　　　　　　　　　　　　　　２％
ラウロイルジエタノールアミド　　　　　　　　　　　　　　　　　３％
ラウリルジメチルアミノ酢酸ベタイン　　　　　　　　　　　　　　３％
メントール　　　　　　　　　　　　　　　　　　　　　　　　　　０．５％
エチレングリコールジステアリン酸エステル　　　　　　　　　　　２％
シルクプロテイン　　　　　　　　　　　　　　　　　　　　　　　適量
香料　　　　　　　　　　　　　　　　　　　　　　　　　　　　　適量
ＥＤＴＡ　　　　　　　　　　　　　　　　　　　　　　　　　　　適量
水道水　　　　　　　　　　　　　　　　　　　　　　　　　　　　７５％
【００５２】
ここで、ラウリルポリオキシエチレン硫酸エステルトリエタノールアミン塩、ラウリルポリオキシエチレン硫酸エステルナトリウム塩、ラウリル硫酸エステルナトリウム塩は、基剤となる陰イオン性界面活性剤である。
【００５３】
なお、ラウリルポリオキシエチレン硫酸エステルトリエタノールアミン塩は、上述したポリオキシエチレンアルキルエーテル硫酸エステル塩（［化３］参照）に該当するものであって、［化３］の化学式中のＭをトリエタノールアミンとし、Ｒを炭素数１２の直鎖アルキル基とし、ｎを３の数としたものである。また、ラウリルポリオキシエチレン硫酸エステルナトリウム塩は、上述したポリオキシエチレンアルキルエーテル硫酸エステル塩（［化３］参照）に該当するものであって、［化３］の化学式中のＭをナトリウムとし、Ｒを炭素数１２の直鎖アルキル基とし、ｎを３の数としたものである。また、ラウリル硫酸エステルナトリウム塩は、上述したアルキル硫酸エステル塩（［化２］参照）に該当するものであって、［化２］の化学式中のＭをナトリウムとし、Ｒを炭素数１２の直鎖アルキル基としたものである。
【００５４】
また、非イオン性界面活性剤であるラウロイルジエタノールアミド、両性イオン性界面活性剤であるラウリルジメチルアミノ酢酸ベタインは、増粘剤である。
【００５５】
なお、このラウロイルジエタノールアミドは、上述した脂肪酸アルキロールアミド（［化５］（Ｂ）参照）に該当するものであって、［化５］の化学式（Ｂ）中のＲを炭素数１１の直鎖アルキル基としたものである。また、ラウリルジメチルアミノ酢酸ベタインは、上述したカルボベタイン（［化７］参照）に該当するものであって、［化７］の化学式中のＲを炭素数１２の直鎖アルキル基としたものである。
【００５６】
また、皮膚刺激性物質であるメントールは、上記実施例１の洗浄剤同様、清涼感、爽快感により使用者に洗浄の使用実感を与えるものである。また、シルクプロテインは保湿剤である。また、エチレングリコールジステアリン酸エステルは不透明化剤であり、ＥＤＴＡは金属イオン封鎖剤であり、いわゆる安定剤である。また香料は芳香剤である。これらは必要に応じて適量添加するものである。
【００５７】
上述の［実施例１］及び［実施例２］では、基剤及び増粘剤に、水道水中のＣａ２＋及びＭｇ２＋と反応して不溶基塩を生成しない界面活性剤をそれぞれ用いており、洗浄剤中の主成分が上記特定した界面活性剤で構成されるようになっている。この［実施例１］及び［実施例２］の洗浄剤を用いて局部洗浄を行ったところ、洗浄剤が水道水と混合した際にも不溶基塩は生成されなかった。したがって、この局部洗浄装置内の給水経路や洗浄ノズルなどに目詰まりなどは生じず、局部洗浄装置の長寿命化が図られることが確認された。
【００５８】
なお、［実施例１］及び［実施例２］では、洗浄剤の主成分を構成する基剤のみならず増粘剤にも、水道水中のＣａ２＋及びＭｇ２＋と反応して不溶基塩を生成しない界面活性剤を用いているが、基剤に上記特定した界面活性剤を用いて洗浄剤の主成分を上記特定した界面活性剤にて構成するようにすれば、増粘剤に別の化学物質を用いても、洗浄剤が水道水と混合した際に不溶基塩が生成されないで、局部洗浄装置の長寿命化を図り得るのは、言うまでもない。
【００５９】
【発明の効果】
上記のように本発明の請求項１記載の発明にあっては、水道水からなる洗浄水を供給する給水経路と人体局部用の洗浄剤を供給する洗浄剤供給経路とが合流し、この給水経路及び洗浄剤供給経路の合流部から供給される洗浄水を人体局部に噴射する洗浄ノズルとを備えて構成した局部洗浄装置に用いられる洗浄剤であって、この洗浄剤が水道水中のＣａ２＋及びＭｇ２＋と反応して不溶基塩を生成しない界面活性剤を主成分とするので、洗浄剤が水道水と混合した際にも不溶基塩を生成せず、したがって局部洗浄装置内の給水経路や洗浄ノズルなどに目詰まりなどを生じさせないようにでき、局部洗浄装置の長寿命化を図ることができる。
【００６０】
また、請求項２記載の発明にあっては、請求項１の効果に加えて、前記洗浄剤を、アルキル硫酸エステル塩、ポリオキシエチレンアルキルエーテル硫酸エステル塩、アシルメチルタウリン等のアニオン系界面活性剤、脂肪酸アルキロールアミド、アルキルグルコシド等の非イオン性界面活性剤、カルボベタイン、アミドベタイン、スルホベタイン等の両性イオン性界面活性剤より選択された１種類または２種以上の界面活性剤を組み合せて構成したので、アニオン系界面活性剤、非イオン性界面活性剤、両性イオン性界面活性剤のいずれの界面活性剤にも、水道水の中のＣａ２＋及びＭｇ２＋と反応して、目詰まりの原因となる不溶基塩を生成させる脂肪酸アルカリ塩の石鹸構造（ＲＣＯＯ−）を含有するものでないから、この洗浄剤を水道水に混合させた際にも不溶基塩を生成せず、したがって局部洗浄装置に目詰まりなどを生じさせないようにでき、局部洗浄装置の長寿命化を図ることができる。
【００６１】
また、請求項３記載の発明にあっては、請求項１の効果に加えて、皮膚刺激性物質を添加したので、皮膚刺激性物質による清涼感や爽快感を使用者に感じさせることができ、使用者に洗浄液で洗浄している使用実感を与えることができ、使用者の局部洗浄装置の使用満足度を高めることができる。
【００６２】
また、請求項４記載の発明にあっては、請求項３の効果に加えて、前記皮膚刺激性物質をメントールで構成したので、皮膚刺激性物質を生成するのに少量のメントールを洗浄剤に添加すればよく、皮膚刺激性物質の添加による洗浄剤の成分への影響をほとんど無くすること、つまり皮膚刺激性物質の添加による洗浄剤の洗浄機能の低下などを回避することができる。
【００６３】
また、請求項５記載の発明にあっては、請求項１乃至請求項４のいずれかの効果に加えて、洗浄剤が、保湿剤、増粘剤、安定剤、芳香剤から選択される１種類あるいは２種以上の組み合わせによる添加剤を含有し、添加剤と洗浄剤により形成される塩が水溶性であるので、添加剤を洗浄剤に含有させても洗浄剤の水道水への希釈を容易に行わせることができる。
【図面の簡単な説明】
【図１】本発明の実施の形態の例の局部洗浄装置本体のブロック図である。
【図２】同上の洗浄ノズルの斜視図である。
【図３】同上のお尻洗浄ノズルの斜視図である。
【図４】（ａ）（ｂ）は同上のお尻洗浄ノズルの動作を説明するお尻洗浄ノズルの側面断面図である。
【図５】同上のお尻洗浄ノズルの流体素子を説明する側面断面図である。
【図６】同上のノズル洗浄ノズルを説明する斜視図である。
【図７】同上の便器洗浄ノズルを説明する斜視図である。
【図８】従来技術の局部洗浄装置の全体図である。
【図９】同上の局部洗浄装置本体のブロック図である。
【図１０】同上の局部洗浄装置の洗浄水の流れを説明する説明図である。
【符号の説明】
１　局部洗浄装置本体
５　洗浄ノズル
６　給水経路
１２　洗浄剤供給経路
【図１】
2004059705.tif 000012
【図２】
2004059705.tif 000013
【図３】
2004059705.tif 000014
【図４】
2004059705.tif 000015
【図５】
2004059705.tif 000016
【図６】
2004059705.tif 000017
【図７】
2004059705.tif 000018
【図８】
2004059705.tif 000019
【図９】
2004059705.tif 000020
【図１０】
2004059705.tif 000021